(57)【要約】【課題】軸筒の前端からのペン先出長さを調節できるとともに、軸筒の前端からのペン先出長さを調節した後でも軸筒の外観性が損なわれるおそれがない筆記具を提供する。【解決手段】軸筒２内に交換可能に複数の筆記体５を収容する。各々の筆記体５のペン先５１を軸筒２の前端孔３１を通して外部に選択的に出没させる。各々の筆記体５の後端に操作体６を螺着する。ペン先突出時の筆記体５に螺着状態にある操作体６の後端を、軸筒２内面の支持部４２に当接させる。筆記体５及び操作体６を相対回転させることにより、操作体６の後端とペン先５１の前端との距離を可変とする。【選択図】  図２
2010162753.tif 000002
【特許請求の範囲】
【請求項１】
軸筒内に交換可能に筆記体を収容し、前記筆記体のペン先を前記軸筒の前端孔を通して外部に突出させた筆記具であって、前記筆記体の後端に操作体を螺着し、ペン先突出時の筆記体に螺着状態にある操作体の後端を、軸筒内面の支持部に当接させ、前記操作体の後端と前記ペン先の前端との距離を可変としたことを特徴とする筆記具。
【請求項２】
前記軸筒内に複数の筆記体を前後方向に移動可能に収容し、前記各々の筆記体を弾発体により後方に付勢し、前記各々の弾発体を軸筒内に収容し、前記各々の筆記体の後端に操作体を取り付け、前記軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、前記スライドした操作体が取り付けられた筆記体のペン先を前記軸筒の前端孔を通して選択的に出没させてなる請求項１記載の筆記具。
【請求項３】
前記軸筒が、前端に前端孔を備えた前軸と、該前軸の後端部に着脱自在に取り付けられ且つ側壁に前記窓孔を備える後軸とからなり、前記前軸を前記後軸から取り外した際、各々の筆記体の前部が後軸の前端より外部に突出され、各々の筆記体の前部が回転操作可能となるとともに、各々の操作体が窓孔に係合されることにより各々の操作体の回転が規制される請求項２記載の筆記具。
【請求項４】
互いに螺着状態の筆記体及び操作体を軸筒内から取り外し可能とし、軸筒内から取り外した筆記体及び操作体を相対回転可能とした請求項１、２または３記載の筆記具。
【発明の詳細な説明】
【技術分野】
【０００１】
本発明は、筆記具に関する。詳細には、軸筒内に筆記体を収容し、前記筆記体のペン先を前記軸筒の前端孔を通して外部に突出させた筆記具に関する。
【背景技術】
【０００２】
特許文献１には、軸筒が前軸と後軸とからなり、前軸と後軸が螺着されて取り外し可能に連結される多芯筆記具が記載されている。
【先行技術文献】
【特許文献】
【０００３】
【特許文献１】特開平６−３１６１９５号公報
【発明の概要】
【発明が解決しようとする課題】
【０００４】
前記従来の筆記具は、前軸と後軸との螺合を緩めることにより、軸筒の前端からのペン先出長さを調節できるとしても、前軸と後軸との間の軸筒外面に環状の隙間が形成され、外観性が損なわれるおそれがある。
【０００５】
本発明は、前記従来の問題点を解決するものであって、軸筒の前端からのペン先出長さを調節できるとともに、軸筒の前端からのペン先出長さを調節した後でも軸筒の外観性が損なわれるおそれがない筆記具を提供しようとするものである。尚、本発明において、「前」とはペン先側を指し、「後」とはその反対側を指す。
【課題を解決するための手段】
【０００６】
本願の第１の発明は、軸筒２内に交換可能に筆記体５を収容し、前記筆記体５のペン先５１を前記軸筒２の前端孔３１を通して外部に突出させた筆記具であって、前記筆記体５の後端に操作体６を螺着し、ペン先突出時の筆記体５に螺着状態にある操作体６の後端を、軸筒２内面の支持部４２に当接させ、前記操作体６の後端と前記ペン先５１の前端との距離を可変としたことを要件とする。
【０００７】
前記第１の発明の筆記具１は、筆記体５及び操作体６を相対回転させることにより、操作体６の後端と前記ペン先５１の前端との距離が可変となり、それによって、ユーザーが軸筒２の前端からのペン先出長さを容易に調節できる。さらに、前記第１の発明の筆記具１は、軸筒２の前端からのペン先出長さを調節した後でも、軸筒２の外観は何ら変化しないため、軸筒２外面の外観性が損なわれるおそれがない。また、前記第１の発明の筆記具１は、筆記体５と操作体６とが螺着により取り付けられるため、筆記時の大きな筆圧によってもペン先出長さが短くなることを防止できる。
【０００８】
本願の第２の発明は、前記第１の発明の筆記具１において、前記軸筒２内に複数の筆記体５を前後方向に移動可能に収容し、前記各々の筆記体５を弾発体７により後方に付勢し、前記各々の弾発体７を軸筒２内に収容し、前記各々の筆記体５の後端に操作体６を取り付け、前記軸筒２の側壁に前後方向に延びる複数の窓孔４１を径方向に貫設し、前記各々の窓孔４１から径方向外方に前記各々の操作体６を突出させ、一つの操作体６を窓孔４１に沿って前方にスライドさせることにより、前記スライドした操作体６が取り付けられた筆記体５のペン先５１を前記軸筒２の前端孔３１を通して選択的に出没させてなることを要件とする。
【０００９】
前記第２の発明の筆記具１は、軸筒２の前端からのペン先出長さを調節できる多芯タイプの出没式筆記具１（即ち、複数の筆記体５のペン先５１を選択的に出没可能な多芯タイプの出没式筆記具）を得る。
【００１０】
本願の第３の発明は、前記第２の発明の筆記具１において、前記軸筒２が、前端に前端孔３１を備えた前軸３と、該前軸３の後端部に着脱自在に取り付けられ且つ側壁に前記窓孔４１を備える後軸４とからなり、前記前軸３を前記後軸４から取り外した際、各々の筆記体５の前部が後軸４の前端より外部に突出され、各々の筆記体５の前部が回転操作可能となるとともに、各々の操作体６が窓孔４１に係合されることにより各々の操作体６の回転が規制されることを要件とする。
【００１１】
前記第３の発明の筆記具１は、前軸３を取り外した状態で、ユーザーが容易にペン先出長さを調節できる。
【００１２】
前記本願の第４の発明は、前記第１、第２または第３の発明の筆記具１において、互いに螺着状態の筆記体５及び操作体６を軸筒２内から取り外し可能とし、軸筒２内から取り外した筆記体５及び操作体６を相対回転可能としたことを要件とする。
【００１３】
前記第４の発明の筆記具１は、筆記体５及び操作体６を直接回転させることができるため、ユーザーがペン先出長さを確実に調節できる。さらに、前記第４の発明の筆記具１において、操作体６の外面または筆記体５の外面に、凹凸部や平面部を有する場合、指で挟持した際の滑り止めがなされ、より一層、筆記体５及び操作体６を相対回転が容易となる。
【発明の効果】
【００１４】
本発明の筆記具によれば、軸筒の前端からのペン先出長さを調節できるとともに、軸筒の前端からのペン先出長さを調節した後でも軸筒の外観性が損なわれるおそれがない。
【図面の簡単な説明】
【００１５】
【図１】本発明の実施の形態の全ペン先没入状態の縦断面図である。
【図２】図１のペン先突出状態を示す縦断面図である。
【図３】図１の前軸を取り外した状態の縦断面図である。
【図４】開口部を開口させた状態の側面図である。
【図５】軸筒内から取り外した状態の筆記体及び操作体の縦断面図である。
【図６】筆記体と操作体の螺着状態を示す要部拡大縦断面図である。
【図７】筆記体と操作体の螺着状態を示す要部拡大縦断面図である。
【発明を実施するための形態】
【００１６】
図１乃至図６に本発明の実施の形態を示す。
【００１７】
本実施の形態の筆記具１は、軸筒２内に複数本の筆記体５が収容され、前記各々の筆記体５のペン先５１が軸筒２の前端の前端孔３１より選択的（択一的）に外部に出没される多芯タイプの出没式筆記具である。前記各々の筆記体５の後端部には、操作体６が螺合により取り付けられる。前記各々の筆記体５は、弾発体７（コイルスプリング）により後方に常時付勢されている。
【００１８】
・軸筒
前記軸筒２は、円筒状の前軸３と、該前軸３の後端部に着脱自在に螺着される円筒状の後軸４とからなる。前記前軸３及び前記後軸４は、合成樹脂または金属材料からなる。
【００１９】
前記前軸３の前端部は、先細状に形成され、前記前軸３の前端に前端孔３１が前後方向に貫設される。前記前軸３の後端部外周面には、雄ねじ部３２が形成される。
【００２０】
前記後軸４の前端部内周面には、雌ねじ部４３が形成される。前記雌ねじ部４３に、前記前軸３の雄ねじ部３２が螺合される。前記前軸３の後端部と前記後軸４の前端部とは、螺合により着脱可能である。
【００２１】
前記後軸４の後部の側壁には、複数本の前後方向に延びる細長状の窓孔４１が、径方向に貫設される。前記後軸４の後端部には、軸方向に貫通し且つ径方向外方に開口する開口部４４が形成される。前記開口部４４は、後軸４の後端（即ち軸筒２の後端）において窓孔４１と連通され、それにより、窓孔４１後端が後方に切り欠かれ後方に開口されている。前記開口部４４を通して、操作体６が取り付けられた状態の筆記体５を、軸筒２内に挿入可能且つ軸筒２内から取り出し可能（交換可能）に構成される。
【００２２】
前記各々の窓孔４１から各々の筆記体５の操作体６が外部に突出される。前記各々の操作体６を窓孔４１に沿って前方にスライド操作することによって、各々の筆記体５のペン先５１が選択的に前端孔３１より出没される。前記後軸４の窓孔４１相互間の側壁内面には、支持部４２（例えば、軸方向に延びるリブ）が一体に形成される。前記支持部４２に、ペン先突出状態の筆記体５の後端に取り付けられた操作体６の後端が当接係止される。前記後軸４の窓孔４１の相互間の側壁外面には、クリップ４６が設けられる。
【００２３】
・蓋部
前記後軸４の後端には、前記開口部４４を開閉自在にする蓋部８が設けられる。前記蓋部８の前面には、ペン先没入状態の筆記体５に取り付けられた操作体６の後端が当接可能な当接部８１が形成される。前記開口部４４を介して、操作体６を備えた筆記体５を軸筒２内に挿入且つ軸筒２内から取り外し可能（交換可能）である。
【００２４】
前記蓋部８の一端部は、開口部４４にヒンジ部８２により回動自在に設けられる。前記蓋部８の他端部の前面には、係合部８３が設けられる（具体的には係合凹部または係合孔部が形成される）。後軸４の後端には、前記係合部８３と係合可能な被係合部４５が設けられる（具体的には係合凸部が突設される）。前記係合部８３（係合凹部または係合孔部）の内面には、内向突起が形成され、一方、前記被係合部４５（係合凸部）の外面には、前記内向突起と乗り越え係止可能な外向突起が形成される。前記係合部８３と前記被係合部４５とは、蓋部８が開口部４４を閉鎖した際、互いに係合状態にあり（具体的には内向突起と外向突起が乗り越え係止状態にあり）、弾発体７の後方への付勢による操作体６と蓋部８前面の当接部８１との当接では、その係合状態は解除されず、蓋部８が開くことはない。
【００２５】
・筆記体
前記各々の筆記体５は、ボールペンレフィルであり、前端にボールが回転可能に抱持されたボールペンチップ（即ちペン先５１）と、該ボールペンチップを前端に備え且つ後端が開口されたインキ収容管５２とからなる。前記インキ収容管５２の後端部開口部内面には、被螺着部５３が形成される。
【００２６】
前記インキ収容管５２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管５２内のインキの後端には、インキの消費に伴い前進する高粘度流体からなる追従体が充填される。
【００２７】
・操作体
前記各々の筆記体５の後端（即ちインキ収容管５２の後端開口部）には、操作体６が螺着される。前記各々の操作体６は、後端部に形成され且つ軸筒２の窓孔４１から外部に突出する操作部６１と、該操作部６１の反対側に設けられる後側突出部６３と、該操作部６１の反対側の後側突出部６３の前方に設けられる前側突出部６２と、前端部に形成され且つインキ収容管５２の後端部内面の被螺着部５３に螺着される螺着部６４と、該螺着部６４の後方に形成される鍔部６５とを備える。また、前記鍔部６５の前面には、弾発体７の後端が係止される。
【００２８】
筆記体５のペン先５１が没入状態のとき、その筆記体５に取り付けられた操作体６の後端は、蓋部８の前面に形成された当接部８１に当接される。一方、筆記体５のペン先５１が突出状態のとき、その筆記体５に取り付けられた操作体６の後端は、軸筒２の内壁に形成された支持部４２に係止される。
【００２９】
ペン先没入状態にある筆記体５の後端に連結された操作体６の前側突出部６２は、その操作体６の操作部６１を前方にスライド操作した際、先にペン先突出状態にある他の筆記体５の後端に連結された操作体６の後側突出部６３と当接され、他の筆記体５のペン先突出状態が解除される。
【００３０】
本実施の形態の筆記具１によれば、前軸３を後軸４から取り外した際、各々の筆記体５の前部が後軸４の前端より外部に突出され、各々の筆記体５の前部が回転操作可能となるとともに、各々の操作体６が窓孔４１に係合されることにより各々の操作体６の回転が規制される。それにより、前軸３を取り外した状態で、ユーザーが容易にペン先出長さを調節できる。
【００３１】
図６に、操作体６の後端とペン先５１の前端との距離が最小の場合を示す。この場合、操作体６の螺着部６４と筆記体５（インキ収容管５２）の被螺着部５３とが螺着した状態で、筆記体５の後端と操作体６の螺着部６４後方の段部とが前後に密着されている。
【００３２】
図７に、操作体６の後端とペン先５１の前端との距離が図６の場合よりも長く設定した場合を示す。この場合、操作体６の螺着部６４と筆記体５（インキ収容管５２）の被螺着部５３とが螺着した状態において、筆記体５の後端と操作体６の螺着部６４後方の段部との間に隙間Ｓが形成される。
【００３３】
本実施の形態の筆記具１によれば、互いに螺着状態の筆記体５及び操作体６を軸筒２内から取り外し可能となり、軸筒２内から取り外した筆記体５及び操作体６を直接、相対回転させることができ、ユーザーがペン先出長さを確実に調節できる。したがって、本実施の形態の筆記具１によれば、軸筒２の前端からのペン先出長さを調節できるとともに、軸筒２の前端からのペン先出長さを調節した後でも軸筒２の外観性が損なわれるおそれがない。
【００３４】
さらに、本実施の形態の筆記具１において、操作体６の外面に平面部を有するため、指で挟持した際の滑り止めがなされ、より一層、筆記体５及び操作体６を相対回転が容易となる。
【符号の説明】
【００３５】
１  筆記具
２  軸筒
３  前軸
３１  前端孔
３２  雄ねじ部
４  後軸
４１  窓孔
４２  支持部
４３  雌ネジ部
４４  開口部
４５  被係合部
４６  クリップ
５  筆記体
５１  ペン先
５２  インキ収容管
５３  被螺着部
６  操作体
６１  操作部
６２  前側突出部
６３  後側突出部
６４  螺着部
６５  鍔部
７  弾発体
８  蓋部
８１  当接部
８２  ヒンジ部
８３  係合部
【図１】
2010162753.tif 000003
【図２】
2010162753.tif 000004
【図３】
2010162753.tif 000005
【図４】
2010162753.tif 000006
【図５】
2010162753.tif 000007
【図６】
2010162753.tif 000008
【図７】
2010162753.tif 000009